(57)【要約】【課題】複数の収納箱体が壁に沿って横方向に揃った状態で確実且つ簡単に並設固定される壁面収納構造を提供する。【解決手段】壁１に沿って立設される収納箱体２を横方向に複数並設して、隣接する両収納箱体２の側板３を相互に接合させ、この隣接する両収納箱体２の接合部位４の上端に固定アジャスター５の下端部５ａを跨るよう当接させて、収納箱体２の上端と天井６との間に同固定アジャスター５を突っ張り状態で介設することにより各収納箱体２を固定してなる壁面収納構造とした。【選択図】図１
2008006116.tif 000002
【特許請求の範囲】
【請求項１】
壁に沿って立設される収納箱体を横方向に複数並設して、隣接する両収納箱体の側板を相互に接合させ、この隣接する両収納箱体の接合部位の上端に固定アジャスターの下端部を跨るよう当接させて、収納箱体の上端と天井との間に同固定アジャスターを突っ張り状態で介設することにより各収納箱体を固定してなる壁面収納構造。
【請求項２】
基礎床上に浮いた状態で敷設された床表面板上に収納箱体は載置されており、収納箱体の直下位置において、基礎床と床表面板との間に同床表面板を支持してその沈みを防止する沈み防止具を介設したことを特徴とする請求項１記載の壁面収納構造。
【請求項３】
床表面板上に補強板を介して複数の収納箱体を載置したことを特徴とする請求項２記載の壁面収納構造。
【請求項４】
隣接する両収納箱体の接合部位の直下位置に沈み防止具を配設したことを特徴とする請求項２記載の壁面収納構造。
【請求項５】
基礎床上に浮いた状態で敷設された床表面板上に収納箱体は位置されており、床表面板を貫通する支持脚によって基礎床上に収納箱体を支持させたことを特徴とする請求項１記載の壁面収納構造。
【請求項６】
収納箱体の側板の下端に支持脚の上端部分を上下進退自在に螺合させたことを特徴とする請求項５記載の壁面収納構造。
【請求項７】
壁に沿ってこの壁との間に間隔スペースをあけて収納箱体は立設され、基礎床上に浮いた状態で敷設された床表面板上に同収納箱体は載置されており、間隔スペースにおいて床表面板と螺合してこれを貫通し同床表面板を支持してその沈みを防止するするボルト状の沈み防止具を設け、この沈み防止具の下端を基礎床に当止させると共に同沈み防止具の上端を回動操作部として床表面板上に突出させたことを特徴とする請求項１記載の壁面収納構造。
【発明の詳細な説明】
【技術分野】
【０００１】
本願発明は、壁に沿って立設される収納箱体を横方向に複数並設してなる壁面収納構造に関するものである。
【背景技術】
【０００２】
従来から、図１１に示すように、室内の壁面収納構造として、壁１に沿って立設される縦長の収納箱体２を横方向に複数並設するような施工は行われている。この場合、一般には、収納箱体２が壁１に固定されるものである。ところが、例えば、マンションの戸境壁に沿って設置する際に、戸境壁がコンクリートにクロスの直貼りであったり、石膏ボードと吸音材とでなる乾式パネル工法によるものであったりする場合、収納箱体２を同戸境壁である壁１には固定する手段がなく、この壁１にふかし壁と称される別途の壁面体３３を施工して、この壁面体３３に対し収納箱体２を固定していた。このように、収納箱体２を壁１に固定するものであると、施工が困難になるという問題を生じる。
【０００３】
また、実用新案登録第３０１５２２３号公報（特許文献１）に示されるように、家具転倒防止具として、家具の天板と天井との間に突っ張り状態で介設されるものも知られている。この種の家具転倒防止具は、地震等が起きてもその揺れで家具が転倒しないように固定することができるとされているが、単一の家具毎に施されて各家具を個別に固定するものである。しかも、突っ張り状に介設される家具転倒防止具の下端部が家具の天板を押圧して変形させたり破損させたりすることも考えられ、このような場合には、確実な固定を期待することができなくなる。
【０００４】
ところで、前記図１１に示す壁面収納構造において、マンションのような集合住宅であると、基礎床７上に敷設される床表面板８は、裏面にクッション材を貼着した防音用の床材であったり、二重床構造となるように支持されたりするが、この場合、床表面板８は基礎床７上に浮いた状態で敷設されることになる。このような場合に、前記家具転倒防止具を収納箱体２の上端と天井６との間に介設するとなると、床表面板８と共に収納箱体２が下方へ沈み込むため、同家具転倒防止具による突っ張り力は十分に得られず、確実な固定を期待することがより困難となる。
【特許文献１】実用新案登録第３０１５２２３号公報
【発明の開示】
【発明が解決しようとする課題】
【０００５】
本願発明は、上記背景技術に鑑みてなされたもので、その課題は、複数の収納箱体が壁に沿って横方向に揃った状態で確実且つ簡単に並設固定される壁面収納構造を提供することである。
【課題を解決するための手段】
【０００６】
上記課題を解決するために、本願請求項１記載の発明である壁面収納構造は、壁に沿って立設される収納箱体を横方向に複数並設して、隣接する両収納箱体の側板を相互に接合させ、この隣接する両収納箱体の接合部位の上端に固定アジャスターの下端部を跨るよう当接させて、収納箱体の上端と天井との間に同固定アジャスターを突っ張り状態で介設することにより各収納箱体を固定してなる。
【０００７】
また、本願請求項２記載の発明は、請求項１記載の壁面収納構造において、基礎床上に浮いた状態で敷設された床表面板上に収納箱体は載置されており、収納箱体の直下位置において、基礎床と床表面板との間に同床表面板を支持してその沈みを防止する沈み防止具を介設したことを特徴としている。
【０００８】
また、本願請求項３記載の発明は、請求項２記載の壁面収納構造において、床表面板上に補強板を介して複数の収納箱体を載置したことを特徴としている。
【０００９】
また、本願請求項４記載の発明は、請求項２記載の壁面収納構造において、隣接する両収納箱体の接合部位の直下位置に沈み防止具を配設したことを特徴としている。
【００１０】
また、本願請求項５記載の発明は、請求項１記載の壁面収納構造において、基礎床上に浮いた状態で敷設された床表面板上に収納箱体は位置されており、床表面板を貫通する支持脚によって基礎床上に収納箱体を支持させたことを特徴としている。
【００１１】
また、本願請求項６記載の発明は、請求項５記載の壁面収納構造において、収納箱体の側板の下端に支持脚の上端部分を上下進退自在に螺合させたことを特徴としている。
【００１２】
また、本願請求項７記載の発明は、請求項１記載の壁面収納構造において、壁に沿ってこの壁との間に間隔スペースをあけて収納箱体は立設され、基礎床上に浮いた状態で敷設された床表面板上に同収納箱体は載置されており、間隔スペースにおいて床表面板と螺合してこれを貫通し同床表面板を支持してその沈みを防止するするボルト状の沈み防止具を設け、この沈み防止具の下端を基礎床に当止させると共に同沈み防止具の上端を回動操作部として床表面板上に突出させたことを特徴としている。
【発明の効果】
【００１３】
本願請求項１記載の発明である壁面収納構造においては、収納箱体の上端と天井との間に固定アジャスターが突っ張り状態で介設されるので、壁に沿って立設される同収納箱体は地震等の揺れでも倒れないように固定される。しかも、その際、側板が相互に接合される収納箱体の接合部位の上端に固定アジャスターの下端部が跨るよう当接されるので、横方向に並設される複数の収納箱体の上端高さは相互に揃えられ、重なる両側板が同固定アジャスターの突っ張り力を強固に対抗支持し、隣接する両収納箱体はまとめて簡単に且つ揺れないよう確実に並設固定される。
【００１４】
また、本願請求項２記載の発明である壁面収納構造においては、特に、基礎床上に浮いた状態で敷設された床表面板上に収納箱体が載置されてはいるものの、収納箱体の直下位置において、基礎床と床表面板との間に同床表面板を支持してその沈みを防止する沈み防止具が介設されるので、床表面板と共に収納箱体の下方への沈み込みをも防止されて、固定アジャスターによる突っ張り力作用は十分に発揮され、収納箱体の強固な固定が確保される。
【００１５】
また、本願請求項３記載の発明である壁面収納構造においては、特に、床表面板上に補強板を介して複数の収納箱体が載置されるので、複数の収納箱体は補強板でまとめて支持され、沈み防止具を介設する位置の制限が補強板の大きさ範囲に拡大されて、同沈み防止具の数を削減することも可能となる。
【００１６】
また、本願請求項４記載の発明である壁面収納構造においては、特に、隣接する両収納箱体の接合部位の直下位置に沈み防止具が配設されるので、固定アジャスターの突っ張り力は重なる両側板を介してその直下位置にある沈み防止具でより強固に対抗支持され、収納箱体の下方への沈み込みが確実に防止される。
【００１７】
また、本願請求項５記載の発明である壁面収納構造においては、特に、基礎床上に浮いた状態で敷設された床表面板上に収納箱体が位置してはいるものの、床表面板を貫通する支持脚によって基礎床上に収納箱体が支持されるので、収納箱体は浮いた状態の不安定な床表面板でなく支持脚を介して基礎床で直接的に支持され、固定アジャスターによる突っ張り力作用が十分に発揮されて、収納箱体の強固な固定は確保される。
【００１８】
また、本願請求項６記載の発明である壁面収納構造においては、特に、収納箱体の側板の下端に支持脚の上端部分が上下進退自在に螺合されるので、固定アジャスターの突っ張り力は収納箱体の側板を介してその下端に位置する支持脚でより強固に対抗支持され、支持脚の螺合された上端部分を上下進退させることによって、同支持脚による対抗支持力或いは収納箱体の支持高さや傾き等を調整することが可能となる。
【００１９】
また、本願請求項７記載の発明である壁面収納構造においては、特に、壁との間に間隔スペースをあけて収納箱体が立設されるので、同間隔スペースを配線空間や遮音空間として活用することができる。しかも、基礎床上に浮いた状態で敷設された床表面板上に収納箱体が載置されてはいるものの、前記間隔スペースにおいて床表面板と螺合してこれを貫通し同床表面板を支持してその沈みを防止するするボルト状の沈み防止具が設けられるので、床表面板と共に収納箱体の下方への沈み込みをも防止されて、固定アジャスターによる突っ張り力作用は十分に発揮され、収納箱体の強固な固定が確保される。
【００２０】
更に、この場合、下端が基礎床に当止する沈み防止具の上端は回動操作部として床表面板上に突出されるので、同回動操作部で沈み防止具を螺合操作することにより、基礎床から床表面板までの床高さに簡単に対応することができ、長さの異なる多種類の沈み防止具を用意する必要もなくなる。そして、床表面板上に突出する沈み防止具の上端の回動操作部は、前記間隔スペース内に納まって外観上での支障とならない。
【発明を実施するための最良の形態】
【００２１】
図１〜４は、本願の請求項１〜３に対応した第一の実施形態を示している。この実施形態の壁面収納構造は、壁１に沿って立設される収納箱体２を横方向に複数並設して、隣接する両収納箱体２の側板３を相互に接合させ、この隣接する両収納箱体２の接合部位４の上端に固定アジャスター５の下端部５ａを跨るよう当接させて、収納箱体２の上端と天井６との間に同固定アジャスター５を突っ張り状態で介設することにより各収納箱体２を固定してなるものである。
【００２２】
この実施形態の壁面収納構造では、基礎床７上に浮いた状態で敷設された床表面板８上に収納箱体２が載置されており、収納箱体２の直下位置において、基礎床７と床表面板８との間に同床表面板８を支持してその沈みを防止する沈み防止具９を介設している。この場合、床表面板８上に補強板１０を介して複数の収納箱体２を載置している。
【００２３】
以下、この実施形態の壁面収納構造をより具体的詳細に説明する。この実施形態の壁面収納構造は、マンションのような集合住宅の戸境壁である壁１に沿って施工されたものであり、同壁１はコンクリートにクロスの直貼り、或いは、石膏ボードと吸音材とでなる乾式パネル工法によるものである。図１に示すように、各収納箱体２は前面が開口した縦長の箱型に形成されており、両側板３間に上板１３、下板１４及びその間の中程に棚板１５を架設固定し、これ等の背面開口を背板１６で覆った形状で、主として木質材で構成される。収納箱体２の仕切られた各前面開口は、開放されたままでもよいが、扉が開閉自在に付設されたり或いは引出しが出し入れ自在に収容されてもよい。
【００２４】
そして、複数の収納箱体２（この実施形態では同形状、同寸のものが５個）が、一枚の補強板１０を介し横方向に並べて床表面板８上に載置されている。この場合、基礎床７上に二重床構造となるよう浮いた状態で敷設された床表面板８上に収納箱体２が載置されており、基礎床７と床表面板８との間には同床表面板８を支持してその沈みを防止する沈み防止具９が各収納箱体２毎の中程直下位置において介設されている。ここでは、収納箱体２と同数（この実施形態では５個）の沈み防止具９を介設しているが、複数の収納箱体２は一枚の補強板１０を介しまとめて載置されるので、同補強板１０の直下位置に存在する沈み防止具９の数を削減することができる。
【００２５】
図２にも示すように、各収納箱体２は壁１に近接配置され、沈み防止具９以外の通常の床支持具１９により浮いた状態で支持された床表面板８上に補強板１０を介して載置されている。この場合、図３に示すように、床表面板８はパーティクルボードでなる床基板１７とその表面に敷設される床化粧板１８とで構成されているが、床表面板８は一枚物の板材（床基板１７だけでその上にカーペットや化粧シート等が貼着されたもの）で構成されてもよい。また、床表面板８が裏面にクッション材を貼着した防音用の床材であり、同床表面板８を基礎床７上で直接に敷設した場合でも、床表面板８は基礎床７上に浮いた状態で敷設されることになる。
【００２６】
そして、収納箱体２の後側で壁１に近い位置で、基礎床７と床表面板８との間に沈み防止具９が介設されている。沈み防止具９はボルト状で、その上部外周に雄ネジ部９ａが形成され、その下端には硬質ゴム材でなる接床部９ｂが設けられている。床表面板８には固定用孔２０が穿設され、この固定用孔２０内には鬼目ナットと称される雌ネジ部材２１が上方から打ち込まれて埋設固定されている。雌ネジ部材２１には上方から前記ボルト状の沈み防止具９が挿入螺合され、同沈み防止具９の上端に形成された溝状の操作部９ｃにドライバー等の操作具を係合させてこの沈み防止具９を回動操作する。
【００２７】
前記沈み防止具９の回動操作により、沈み防止具９の下端の接床部９ｂが基礎床７上に当止され、同沈み防止具９の上端の操作部９ｃは雌ネジ部材２１内に位置して床表面板８の厚み範囲内に納められる。なお、雌ネジ部材２１の上下長さ寸法は床表面板８の厚さ寸法に合致しなくてもよく、床表面板８の床基板１７の厚さ寸法に略合致する程度の上下長さ寸法であってもよい。このように、基礎床７と床表面板８との間に沈み防止具９を介設させて、この床表面板８が補強支持された後に、複数の収納箱体２は補強板１０を介して同床表面板８上に載置される。
【００２８】
この場合、図１に示すように、複数の収納箱体２は横方向に並設され、隣接する両収納箱体２の側板３が相互に接合される。なお、隣接する両収納箱体２同士は、ボルト・ナットや金具等で相互に連結されてもよい。そして、この隣接する両収納箱体２の接合部位４及び最端に配置される両収納箱体２の外側に位置する側板３の各上端位置において、収納箱体２の上端と天井６との間に固定アジャスター５が突っ張り状態で介設される。接合部位４の上端位置にあっては、両側の収納箱体２の相互に接合される両側板３の上端間に跨るよう固定アジャスター５の下端部５ａが当接される。これにより、横方向に並設される複数の収納箱体２は同じ補強板１０上に載置されることもあって、各収納箱体２の設置高さ位置が相互に精度良く合わして揃えられる。
【００２９】
前記固定アジャスター５は、図４に示すような構造である。すなわち、固定アジャスター５の上端部５ｂ及び下端部５ａは円形状或いは矩形状の板体で形成され、両上端部５ｂ及び下端部５ａから対向してボルト部２２が一体に突設されており、両ボルト部２２は内部に雌ネジが刻設されたパイプ体２３の上下端に挿入螺合されている。この場合、両ボルト部２２の雄ネジは逆向きであり、これに対応してパイプ体２３の上下の雌ネジも逆ネジに刻設されている。それ故、パイプ体２３を回動操作することで、ボルト部２２と共に上端部５ｂ及び下端部５ａが相互逆方向に進退動作して、固定アジャスター５は全体に伸縮操作され、前記のように収納箱体２の上端と天井６との間に突っ張り状に介設される。なお、この場合、伸縮調整後に固定するためのロックナット３２を備えている。
【００３０】
収納箱体２の上端と天井６との間に固定アジャスター５を突っ張り状態に介設することにより各収納箱体２が固定されると、最後に、図１、２に示すように、化粧側面板２４及び天井フィラー２５によって外観良く納められる。すなわち、図１に示すように、最端に配置される両収納箱体２の外側に位置する側板３の外側面全体に化粧側面板２４を貼着固定し、同縦長となる化粧側面板２４の上端部分を天井６に近接する位置にまで延設された寸法とすることにより、同化粧側面板２４の上端部分で固定アジャスター５が納まる空間を側方から覆い隠している。また、図２に示すように、横方向に並設される複数の収納箱体２の上端前縁部分と天井６との間に天井フィラー２５を立設することにより、同天井フィラー２５で固定アジャスター５が納まる空間を前方から覆い隠している。
【００３１】
したがって、この実施形態の壁面収納構造においては、収納箱体２の上端と天井６との間に固定アジャスター５が突っ張り状態で介設されるので、壁１に沿って立設される同収納箱体２は地震等の揺れでも倒れないように固定されて安全である。しかも、その際、側板３が相互に接合される収納箱体２の接合部位４の上端に固定アジャスター５の下端部５ａが跨るよう当接されるので、横方向に並設される複数の収納箱体２の上端高さは相互に揃えられ、重なる垂直な両側板３が同固定アジャスター５の突っ張り力を強固に対抗支持して、隣接する両収納箱体２はまとめて簡単且つ揺れないよう確実に並設固定され、安全性及び施工性に優れた壁面収納構造となる。
【００３２】
また、この実施形態の壁面収納構造においては、基礎床７上に二重床構造として浮いた状態で敷設された床表面板８上に収納箱体２が載置されてはいるものの、収納箱体２の直下位置において、基礎床７と床表面板８との間に同床表面板８を支持してその沈みを防止する沈み防止具９が介設されるので、床表面板８と共に収納箱体２の下方への沈み込みをも防止されて、前記固定アジャスター５による突っ張り力作用は十分に発揮され、収納箱体２の強固な固定が確保される。しかも、この場合に、複数の収納箱体２が補強板１０を介して床表面板８上に載置されるので、複数の収納箱体２は補強板１０でまとめて支持され、沈み防止具９を介設する位置が補強板１０の大きさ範囲内であればどこでもよくてその位置制限は拡大され、同沈み防止具９の配置数を削減することも可能となる。
【００３３】
図５、６は、本願の請求項１、２、４に対応した第二の実施形態を示している。この実施形態の壁面収納構造では、上記第一の実施形態における補強板１０が採用されず、隣接する両収納箱体２の接合部位４の直下位置に沈み防止具９を配設している。この場合、壁面収納構造の中程下部に前方へ開口した凹所２６が設けられており、同凹所２６は両側縦板２７とこの両側縦板２７の上端間を結合する上横板２８とで門型に開口支持されるよう形成されている。その際、最端に配置される縦長の両収納箱体２の上部間にこれよりも縦方向で短い複数（この実施形態では３個）の収納箱体２を配設しており、前記門型となる両側縦板２７は縦長の両収納箱体２の内側に位置する側板３に接合固定され、同門型の上横板２８上に複数の縦短の収納箱体２が載置支持されている。
【００３４】
そして、隣接する前記縦長の収納箱体２と前記縦短の収納箱体２との接合部位４の直下位置で、縦長の収納箱体２の内側に位置する側板３及び前記門型の側縦板２７の両下端を支持するよう、基礎床７と床表面板８との間に沈み防止具９が介設されている。なお、この実施形態では、最端に配置される両収納箱体２の外側に位置する側板３の各直下位置にも、沈み防止具９を配設している。また、前記凹所２６内の空間には、テレビ台２９及びその上にテレビ３０が出し入れ自在に収容設置されている。
【００３５】
したがって、この実施形態の壁面収納構造においては、隣接する両収納箱体２の接合部位４の直下位置及び最端に配置される収納箱体２の外側に位置する側板３の直下位置に沈み防止具９が配設されるので、固定アジャスター５の突っ張り力は、重なる両側板３及び側縦板２７或いは単独の側板３等の垂直板材を介してその直下位置にある沈み防止具９でより強固に対抗支持され、収納箱体２の下方への沈み込みが確実に防止される。また、前記凹所２６内の底面と床表面板８の上面との間には段差を生じないため、同凹所２６に対してテレビ台２９と共にテレビ３０をスムーズに出し入れすることができる。なお、それ以外は上記第一の実施形態と同様に構成され、上記第一の実施形態におけると同様の作用効果が奏される。
【００３６】
図７〜９は、本願の請求項１、５、６に対応した第三の実施形態を示している。この実施形態の壁面収納構造では、基礎床７上に浮いた状態で敷設された床表面板８上に収納箱体２が位置しており、床表面板８を貫通する支持脚１１によって基礎床７上に収納箱体２を支持させている。この場合、収納箱体２の側板３の下端に支持脚１１の上端部分が上下進退自在に螺合されて、この支持脚１１により同収納箱体２の荷重は床表面板８を介することなく基礎床７上で直接的に支持されている。
【００３７】
ここでは、収納箱体２の側板３の下端前後に支持脚１１が配置され、同支持脚１１はボルト状でその上端部分が螺合固定されている。支持脚１１の上端部分の外周には雄ネジ部１１ａが形成され、収納箱体２の側板３の下端部分に埋設固定された鬼目ナットと称される雌ネジ部材２１に同支持脚１１の雄ネジ部１１ａは上下進退自在に挿入螺合される。床表面板８には前記支持脚１１と対応する位置に貫通孔３１が穿設されており、前後の各貫通孔３１にはその上方から前記収納箱体２の側板３の下端部分に螺合固定されている支持脚１１が挿通される。そして、支持脚１１の下端に設けられる接床部１１ｂが基礎床７上に当止されることにより、収納箱体２は同基礎床７上に荷重支持される。
【００３８】
したがって、この実施形態の壁面収納構造においては、基礎床７上に浮いた状態で敷設された床表面板８上に収納箱体２が位置してはいるものの、床表面板８の貫通孔３１を貫通される支持脚１１によって基礎床７上に収納箱体２が支持されるので、収納箱体２は浮いた状態で沈み易く不安定な床表面板８でなく、支持脚１１を介して基礎床７で直接的に支持され、固定アジャスター５による突っ張り力作用が十分に発揮されて、収納箱体２の強固な固定は確保される。
【００３９】
しかも、この場合、収納箱体２の側板３の下端に支持脚１１の上端部分の雄ネジ部１１ａが上下進退自在に螺合されるので、固定アジャスター５の突っ張り力は収納箱体２の側板３を介してその下端に位置する支持脚１１でより強固に対抗支持され、設置前に支持脚１１の螺合された上端部分を上下進退させることによって、同支持脚１１による対抗支持力或いは収納箱体２の支持高さや前後左右の傾き等を調整することができる。なお、それ以外は上記第一の実施形態と同様に構成され、上記第一の実施形態におけると同様の作用効果が奏される。
【００４０】
図１０は、本願の請求項１、７に対応した第四の実施形態を示している。この実施形態の壁面収納構造では、壁１に沿ってこの壁１との間に間隔スペースＳをあけて収納箱体２が立設され、基礎床７上に浮いた状態で敷設された床表面板８上に同収納箱体２は載置されており、間隔スペースＳにおいて床表面板８と螺合してこれを貫通し同床表面板８を支持してその沈みを防止するするボルト状の沈み防止具９を設け、この沈み防止具９の下端を基礎床７に当止させると共に同沈み防止具９の上端を回動操作部１２として床表面板８上に突出させている。
【００４１】
この場合、収納箱体２の後側の間隔スペースＳとなる壁１に近い位置で、床表面板８に固定用孔２０が穿設されて、この固定用孔２０内には鬼目ナットと称される雌ネジ部材２１が上方から打ち込まれて埋設固定されている。沈み防止具９は六角ボルト状で、その上端の六角頭部が回動操作部１２とされ、その外周には雄ネジ部９ａが形成され、その下端には硬質ゴム材でなる接床部９ｂが設けられている。そして、雌ネジ部材２１には上方から沈み防止具９が挿入螺合され、同沈み防止具９の回動操作部１２にレンチ等の操作具を係合させてこの沈み防止具９を回動操作する。
【００４２】
前記沈み防止具９の回動操作により、沈み防止具９の下端の接床部９ｂが基礎床７上に当止されると、床表面板８よりも上方で同沈み防止具９の雄ネジ部９ａに螺合されているロックナット３２を同床表面板８に対し押圧するように締め付け、これにより、沈み防止具９は床表面板８に固定される。このようにして、床表面板８が沈み防止具９で補強支持された後に、複数の収納箱体２は同床表面板８上に横方向に並べて載置され、その際、壁１との間に間隔スペースＳをあけて各収納箱体２が立設される。
【００４３】
したがって、この実施形態の壁面収納構造においては、壁１との間に間隔スペースＳをあけて収納箱体２が立設されるので、同間隔スペースＳを配線空間や遮音空間として活用することができる。なお、この間隔スペースＳは、上記第一の実施形態で説明した両側の化粧側面板２４で側方から覆い隠される。すなわち、最端に配置される両収納箱体２の外側に位置する側板３の外側面全体に化粧側面板２４が貼着固定されており、同化粧側面板２４の後端部分を壁１に近接する位置にまで延設された寸法とすることにより、同化粧側面板２４の後端部分で前記間隔スペースＳを側方から覆い隠している（図１、２参照）。
【００４４】
しかも、基礎床７上に浮いた状態で敷設された床表面板８上に収納箱体２が載置されてはいるものの、前記間隔スペースＳにおいて床表面板８と螺合してこれを貫通し同床表面板８を支持してその沈みを防止するするボルト状の沈み防止具９が設けられるので、床表面板８と共に収納箱体２の下方への沈み込みをも防止されて、固定アジャスター５による突っ張り力作用は十分に発揮され、収納箱体２の強固な固定が確保される。この場合、隣接する両収納箱体２の接合部位４に対応してその後側位置に沈み防止具９を配設することにより、固定アジャスター５の突っ張り力が各沈み防止具９でより強固に対抗支持されるようになる（図７参照）。
【００４５】
更に、この場合、下端の接床部９ｂが基礎床７に当止する沈み防止具９の上端は回動操作部１２として床表面板８上に突出されるので、同回動操作部１２で沈み防止具９を螺合操作することにより、基礎床７から床表面板８までの床高さに簡単に対応することができて、長さの異なる多種類の沈み防止具９を用意する必要もなくなる。そして、床表面板８上に突出する沈み防止具９の上端の回動操作部１２は、前記間隔スペースＳ内に納まって外観上での支障とならない。なお、それ以外は上記第一の実施形態と同様に構成され、上記第一の実施形態におけると同様の作用効果が奏される。
【図面の簡単な説明】
【００４６】
【図１】本願発明の第一の実施形態である壁面収納構造を示す天井フィラーが除かれた正面図。
【図２】同壁面収納構造を示す化粧側面板が除かれた側面図。
【図３】同壁面収納構造の床部位を示す断面図。
【図４】同壁面収納構造における固定アジャスターを示す正面図。
【図５】本願発明の第二の実施形態である壁面収納構造を示す天井フィラーが除かれた正面図。
【図６】同壁面収納構造を示す化粧側面板が除かれた側面図。
【図７】本願発明の第三の実施形態である壁面収納構造を示す天井フィラーが除かれた正面図。
【図８】同壁面収納構造を示す化粧側面板が除かれた側面図。
【図９】同壁面収納構造の床部位を示す断面図。
【図１０】本願発明の第四の実施形態である壁面収納構造の床部位を示す断面図。
【図１１】従来例である壁面収納構造の施工状態を示す側面図。
【符号の説明】
【００４７】
１  壁
２  収納箱体
３  側板
４  接合部位
５  固定アジャスター
５ａ  下端部
６  天井
７  基礎床
８  床表面板
９  沈み防止具
１０  補強板
１１  支持脚
１２  回動操作部
Ｓ  間隔スペース
【図１】
2008006116.tif 000003
【図２】
2008006116.tif 000004
【図３】
2008006116.tif 000005
【図４】
2008006116.tif 000006
【図５】
2008006116.tif 000007
【図６】
2008006116.tif 000008
【図７】
2008006116.tif 000009
【図８】
2008006116.tif 000010
【図９】
2008006116.tif 000011
【図１０】
2008006116.tif 000012
【図１１】
2008006116.tif 000013